【事件の表示】
　特願２００７−５２５８０８「多種類入力アクセス装置およびそれを利用する方法」拒絶査定不服審判事件〔平成１８年　２月２３日国際公開、ＷＯ２００６／０２０８２０、平成２０年　４月　３日国内公表、特表２００８−５１０２３１〕について、次のとおり審決する。
【結　論】
　本件審判の請求は、成り立たない。
【理　由】
１．手続の経緯
　本願は，２００５年８月１２日（パリ条約による優先権主張外国庁受理２００４年８月１３日，米国）を国際出願日とする出願であって，平成２２年１２月６日付けの拒絶理由通知に対して平成２３年３月１４日付けで手続補正がなされ，平成２３年５月１９日付けの最後の拒絶理由通知に対して平成２３年８月１２日付けで手続補正がなされたが，平成２３年１０月２１日付けで補正の却下の決定がなされると共に同日付けで拒絶査定がなされ，これに対して平成２４年２月２７日に拒絶査定不服審判の請求がなされるとともに手続補正がなされ，平成２４年９月１１日付けの審尋に対して平成２４年１２月６日付けで回答書が提出され，平成２５年２月１日付けの当審の拒絶理由通知に対して平成２５年８月２日付けで手続補正がなされたものである。
　
２．本願発明
　本願の請求項１に係る発明（以下，「本願発明」という。）は，平成２５年８月２日付けの手続補正書により補正された特許請求の範囲の請求項１に記載された事項により特定される次のとおりのものである。
　
「　【請求項１】
　開催会場へのアクセスを許可するアクセスシステムであって，
　チケット所有者情報を格納するデータベースであって，少なくとも一の顧客について，当該データベースは，前記チケット所有者情報として，前記一の顧客の携帯電話番号を格納する所有者記録を含む，データベースと，
　検出器およびプロセッサを有するアクセス装置であって，前記検出器は，前記一の顧客によって当該アクセス装置に提示される，前記開催会場へのアクセス権を有する前記一の顧客を特定する認証データを読み込む，アクセス装置を備え，
　前記認証データは，少なくともペーパーレスデータを含み，前記一の顧客の前記携帯電話番号であり，
　前記アクセス装置の前記プロセッサは，前記検出器によって読み込まれた認証データであって，前記携帯電話番号である前記一の顧客の認証データと，前記データベースの前記所有者記録に格納された，前記携帯電話番号である前記チケット所有者情報とを比較して，前記読み込まれた認証データが前記データベースに格納された前記チケット所有者情報に対応している場合は，前記一の顧客に前記開催会場へのアクセスを許可し，
　前記一の顧客によって提示される認証データを前記アクセス装置の前記検出器が読み込むよりも前，かつ，前記アクセス装置の前記プロセッサが前記開催会場へのアクセスを前記一の顧客に許可するよりも前に，前記携帯電話番号は，前記データベースにおける前記チケット所有者情報として前記所有者記録に格納されている，アクセスシステム。」
　
３．引用例
（１）引用例の記載事項及び引用発明
　当審で通知した拒絶理由の［理由Ｂ］において主引用例として引用した「特開２００２−１０９３４３号公報」（以下，「引用例」という。）には，図面とともに，次の事項が記載されている。（下線は関連する箇所を示すために当審において付加したものである。）
　
（ア）「【０００１】
【発明の属する技術分野】本発明は，
コンサートやミュージカルなどのサービスを予約あるいは利用する際に，概ね排他的に個人で利用する携帯電話機を用いて予約および入場管理を行うチケットレスシステム
　
（イ）「【００１７】（実施の形態１）
図１に本発明の一実施の形態における携帯電話機を使用したチケットレスシステムの概略構成図を示す
【００１８】図１において，
１は利用者の携帯電話機，２は利用者，３はコンサートなどの予約を受けるチケット会社，４はコンサートなどのチェックインゲートとなるチェックイン制御端末，５は有線および無線による公衆回線や専用回線により相互に接続しているインターネット，６は携帯電話機１の電話番号である
【００１９】
チケット会社３のチケット管理サーバ３１は，インターネット５に接続されており，利用者２により携帯電話機１からアクセスすることが可能である
チェックイン制御端末４のチェックイン制御サーバ４１も同様にインターネット５を介して，あるいは専用回線により接続されており，チケット管理サーバ３１が管理する予約状況のデータが更新されると，連動して逐次更新されるようになっている
チェックイン制御端末４には，チェックイン制御サーバ４１の他に利用者２の携帯電話機１の電話番号６２を受信する受信装置４２，受信装置４２で受信した電話番号６２とチェックイン制御サーバ４１内の電話番号６１とを照合する照合装置４３，照合装置４３の結果により開閉動作するゲート４４が備えられている
【００２０】最初に予約・購入方法について説明する。
利用者２は，携帯電話機１からチケット販売のサービスを提供している会社の電話番号にアクセスする
公衆回線を含むインターネット５を介して携帯電話１とチケット販売のサービスを提供しているチケット会社３のチケット管理サーバ３１との間の接続が成立すると，発呼者番号通知機能により，携帯電話機１の電話番号がチケット管理サーバ３１に送られる
チケット管理サーバ３１はＨＴＭＬ言語で記述された情報により空席や料金などの情報を携帯電話機１に応答する
利用者は携帯電話機１の画面を見ながら空席状況や料金をみてサービスの予約申込みを行う
【００２１】
予約申込みが成立するとチケット管理サーバ３１は空席情報の中から申込みのあった分を予約済みに変更し，利用者２の使用した携帯電話機１の電話番号６１を記憶する
また，更新された予約情報を即時または一定周期のタイミングでチェックイン制御端末４のチェックイン制御サーバ４１へ転送し，チェックイン制御サーバ４１のデータ更新を行う
【００２２】具体的な申込みの手順について図２のチケット購入時のタイムチャートを用いて説明する。
【００２３】
まず，利用者側は，ステップＳ１で携帯電話からチケット会社の電話番号にダイヤルしチケット管理サーバ３１のＷｅｂサイトへ接続を行う
発呼者番号通知機能により，チケット管理サーバー３１へステップ３０１で利用者２の携帯電話機１の電話番号６１が送られ，ステップ３０２で受信した電話番号６１を一時的に記憶する
利用者に対して空席や料金の情報をｉモードなどの端末で見ることができる書式，たとえばＨＴＭＬフォーマットに変換したチケット購入画面をステップ３０３で提供する
【００２４】
次に，利用者側は所望するチケットを見つけると，ステップＳ２で支払情報を入力しステップＳ３でチケット会社にチケット購入の依頼を行う
チケット会社側は，ステップ３０５でチケット管理サーバ３１へ利用者の電話番号を記憶すると同時に，ステップ３０６でチェックイン制御サーバ４１に対して予約が入ったことを示すようデータを更新する
端末装置側は，ステップ４０１でチェックイン制御サーバに電話番号を記憶する
【００２５】次に，利用者側は，チケット購入情報を確認後ステップＳ４でＷｅｂサイトへの接続を切断する。チケット会社側は，ステップ３０８で利用者のＷｅｂサイトへの接続の切断を確認後，一時的に記憶していた利用者の電話番号を破棄する。
【００２６】なお，以上の説明では支払方法についてキャッシュカードを利用した例で説明したが，その他の支払い方法であってもよく，例えばチケットの料金を携帯電話の通話料に加算して課金することも可能である。また，上記説明ではチケットの予約情報を即時にチェックイン制御サーバに反映する方法で説明したが，チケット管理サーバで更新した情報を基に，利用者２との通信を切断した後にチェックイン制御サーバ４１の内容を更新する手順であってもよい。
【００２７】
チェックインする場合について説明する
利用者２は，ゲート前でチェックイン制御端末４に対して携帯電話機１より発呼して回線接続を行う
チェックイン制御端末４は，発呼者番号通知機能により利用者２の携帯電話機１の電話番号６２を受信装置４２で受信する
電話番号６２と電話番号６１と照合し一致すればゲートが開くようにゲート４４に指示する
【００２８】
具体的なチェックインの手順について図３のチェックイン時のタイムチャートを用いて説明する
【００２９】
まず，利用者側は，ステップＳ１で携帯電話から端末装置へダイヤル発信を行う
端末装置側は，発呼者番号通知機能により，ステップ４０１で掛かってきた携帯電話の電話番号６２を受信して，ステップ４０２で電話回線を切断する
ステップ４０３では，ステップ４０２で受信した電話番号６２とチェックイン制御サーバ内に予約登録されている電話番号６１との比較照合を行い，利用者と購入者の電話番号が一致することを確認後，ステップ４０４で，ゲートを開く。これにより利用者はステップＳ２でゲートを通過することができる
【００３０】
図４は，チケット会社側の電話番号の記憶制御動作を示すフローチャートである
まず，ステップ３０１で利用者の携帯電話の電話番号を受信し，ステップ３０２で受信した電話番号６１を一時的に記憶しておく
次に，ステップ３０３で利用者に対してチケット購入画面を提供する
次に，ステップ３０４で購入チケット内容，支払い情報を取得し，ステップ３０５で内容のチェックを行う
ステップ３０６でチケット管理サーバに電話番号６１を記憶し，同時にステップ３０７でチェックイン制御サーバへ電話番号６１情報の更新を行う
【００３１】
図５は，チェックイン制御端末側の照合制御動作を示すフローチャートである
まず，ステップ４０１で利用者の携帯電話の電話番号６２を受信する
続いて，ステップ４０２でチェックイン制御サーバ内の電話番号６１とステップ４０１で受信した電話番号６２が一致するかどうかをチェックする
一致すればステップ４０３でゲートを開く
【００３２】なお，以上の説明では，チケット会社３のチケット管理サーバ３１とチェックイン制御サーバ４１との接続をインターネット５による接続で構成した例で説明したが，その他，専用ネットワークによる接続についても同様に実施可能である。また，チェックイン制御サーバ４１を設けずに直接チケット管理サーバ３１からデータの読出を行う構成についても同様に実施可能である。」
　
　引用例の上記（ア）（イ）の記載及び図面の記載を総合すれば，引用例には，次の発明（以下，「引用発明」という。）が記載されていると認められる。
　
「コンサートやミュージカルなどのサービスを予約あるいは利用する際に，個人で利用する携帯電話機を用いて予約および入場管理を行うチケットレスシステムであって，
　当該チケットレスシステムは，
　利用者の携帯電話機１と，コンサートなどの予約を受けるチケット会社３のチケット管理サーバ３１と，コンサートなどのチェックインゲートとなるチェックイン制御端末４のチェックイン制御サーバ４１とがインターネット５を介して接続されており，
　チェックイン制御端末４には，チェックイン制御サーバ４１の他に利用者２の携帯電話機１の電話番号６２を受信する受信装置４２，受信装置４２で受信した電話番号６２とチェックイン制御サーバ４１内の電話番号６１とを照合する照合装置４３，照合装置４３の結果により開閉動作するゲート４４が備えられており，
　利用者２が，携帯電話機１からチケット販売のサービスを提供しているチケット会社３の電話番号にアクセスして，携帯電話機１とチケット会社３のチケット管理サーバ３１との間の接続が成立すると，発呼者番号通知機能により，携帯電話機１の電話番号６１がチケット管理サーバ３１に送られ，
　利用者２が携帯電話機１の画面を見ながらサービスの予約申込みを行い，予約申込みが成立すると，チケット管理サーバ３１は，空席情報の中から申込みのあった分を予約済みに変更し，利用者２の使用した携帯電話機１の電話番号６１を記憶すると共に，更新された予約情報及び携帯電話機１の電話番号６１を即時または一定周期のタイミングでチェックイン制御端末４のチェックイン制御サーバ４１へ転送し，
　チェックイン制御端末４のチェックイン制御サーバ４１は，受信した電話番号６１を記憶しておき，
　利用者２がチェックインするために，ゲート前でチェックイン制御端末４に対して携帯電話機１より発呼して回線接続を行うと，
　チェックイン制御端末４は，発呼者番号通知機能により利用者２の携帯電話機１の電話番号６２を受信装置４２で受信し，受信した電話番号６２とチェックイン制御サーバ４１に記憶している電話番号６１とを照合装置４３で照合し，一致すればゲートが開くようにゲート４４に指示する
　チケットレスシステム。」
　
４．対比
　本願発明と引用発明とを対比する。
　
（ａ）引用発明の「チケットレスシステム」は，コンサートやミュージカルなどのサービスを予約あるいは利用する際に，予約および入場管理を行うものである。
　ここで，コンサートやミュージカルは所定の「開催会場」で開催されるものであり，引用発明において「入場管理を行う」ことは，「開催会場へのアクセス」を「許可」したり，「制限」したりすることであるから，引用発明の「コンサートやミュージカルなどのサービスを予約あるいは利用する際に，予約および入場管理を行うチケットレスシステム」が本願発明の「開催会場へのアクセスを許可するアクセスシステム」に相当する。
　
（ｂ）
（ｂ−１）引用発明の「利用者２」は，チケット会社３の電話番号にアクセスしてサービスの予約申込みを行う者であるから，「チケット所有者」であるということができ，利用者２の携帯電話機１の「電話番号６１」は，チケット所有者である利用者２の情報であるから，本願発明の「チケット所有者情報」に相当する。
　そして，チェックイン制御サーバ４１は，チケット管理サーバ３１から受信した「電話番号６１（チケット所有者情報）」を記憶している，すなわち「格納」しているから，チェックイン制御サーバ４１は，「チケット所有者情報を格納する格納手段」を備えているということができる。
（ｂ−２）引用発明の「利用者２」は，チケット会社３にアクセスしてサービスの予約申込みを行う者であり，チケットレスシステムの「顧客」であるといえるから，引用発明の「利用者２」が本願発明の「少なくとも一の顧客」に相当する。
（ｂ−３）上記「チケット所有者情報を格納する格納手段」は，「チケット所有者情報」として，「利用者２（一の顧客）」の「電話番号６１（携帯電話番号）」を「格納」しているから，「少なくとも一の顧客について，チケット所有者情報として，一の顧客の携帯電話番号を格納する」ものである。
（ｂ−４）してみれば，引用発明の「チケットレスシステム」と本願発明の「アクセスシステム」とは，後記する点で相違するものの，「チケット所有者情報を格納する格納手段であって，少なくとも一の顧客について，当該格納手段は，前記チケット所有者情報として，前記一の顧客の携帯電話番号を格納する，格納手段」を備えている点で共通している。
　
（ｃ）
（ｃ−１）引用発明のチェックイン制御端末４は，開閉動作するゲート４４を備えており，このゲート４４によって，利用者２のコンサート等の会場（開催会場）への入場（アクセス）を許可したり，制限したりするものであるから，引用発明の「チェックイン制御端末４」が本願発明の「アクセス装置」に相当する。
　引用発明の電話番号６２は，利用者２がゲート前でチェックインする際に，利用者２の携帯電話機１から「利用者２（一の顧客）によって」，「チェックイン制御端末４（アクセス装置）の受信装置４２」に送信され，受信装置４２で受信されるものであるから，引用発明の「電話番号６２」は，「一の顧客によってアクセス装置に提供される」ものであるということができる。
（ｃ−２）引用発明において，電話番号６２は，チェックイン制御サーバ４１に記憶されている電話番号６１と照合されて，両者が一致すればゲート４４が開くようになされるものであり，引用発明の電話番号６２は，利用者２が「開催会場へのアクセス権を有する一の顧客」であるか否かを「特定」するために使用されているものであるから，引用発明の「電話番号６２」が本願発明の「開催会場へのアクセス権を有する一の顧客を特定する認証データ」に相当する。
（ｃ−３）引用発明の受信装置４２は，利用者２によって提供される「電話番号６２（認証データ）」を受信しているから，引用発明の電話番号６２（認証データ）を「受信する」ことと，本願発明の認証データを「読み込む」こととは，ともに認証データを「取得する」との点で共通し，また，引用発明の電話番号６２（認証データ）を受信する「受信装置４２」と本願発明の認証データを読み込む「検出器」とは，認証データを取得する「取得手段」の点で共通している。
（ｃ−４）引用発明において，「受信装置４２（取得手段）」は，「チェックイン制御端末４（アクセス装置）」が「有する」ものである。
　また，引用発明の「チェックイン制御端末４」は，チェックイン制御サーバ４１を備えているから，引用発明の「チェックイン制御端末４（アクセス装置）」が「プロセッサ」を「有する」ことは自明のことである。
（ｃ−５）してみれば，引用発明のチケットレスシステムと本願発明のアクセスシステムとは，後記する点で相違するものの，「取得手段およびプロセッサを有するアクセス装置であって，前記取得手段は，一の顧客によって当該アクセス装置に提供される，開催会場へのアクセス権を有する前記一の顧客を特定する認証データを取得する，アクセス装置」を備えている点で共通している。
　
（ｄ）引用発明の「電話番号６２」が本願発明の「認証データ」に相当し，当該「電話番号６２」は，発呼者番号通知機能によって送信されて，受信装置４２で受信されるものであるから，「少なくともペーパーレスデータを含」むものであるということができる。また，電話番号６２は，「利用者２（一の顧客）」の携帯電話機１の電話番号であるから，「一の顧客の携帯電話番号」である。
　してみれば，引用発明と本願発明とは，「認証データは，少なくともペーパーレスデータを含み，一の顧客の携帯電話番号であり」の点で共通している。
　
（ｅ）
（ｅ−１）上記（ｃ−２）（ｃ−３）によれば，引用発明の「受信装置４２で受信された電話番号６２」と本願発明の「検出器によって読み込まれた認証データ」とは，「取得手段によって取得された認証データ」である点で共通している。
（ｅ−２）引用発明の「電話番号６２」が本願発明の「携帯電話番号である一の顧客の認証データ」に相当する。
（ｅ−３）上記（ｂ−１）によれば，引用発明の「電話番号６１」が本願発明の「チケット所有者情報」に相当し，引用発明の電話番号６１を記憶する「格納手段」は，「チケット所有者情報として，一の顧客の携帯電話番号を格納する」ものであるから，引用発明の「電話番号６１」と本願発明の「データベースの所有者記録に格納された，携帯電話番号であるチケット所有者情報」とは，「格納手段に格納された，携帯電話番号であるチケット所有者情報」である点で共通している。
（ｅ−４）上記（ｅ−２）及び（ｅ−３）より，引用発明の「電話番号６２」と「電話番号６１」が本願発明の「携帯電話番号である一の顧客の認証データ」と「携帯電話番号であるチケット所有者情報」にそれぞれ相当するから，引用発明において，「電話番号６２」と「電話番号６１」とを「照合装置４３で照合する」ことが，本願発明の，「携帯電話番号である一の顧客の認証データ」と「携帯電話番号であるチケット所有者情報」とを「比較する」ことに相当する。
（ｅ−５）引用発明において，「一致すればゲートが開くようにゲート４４に指示する」のは，「電話番号６２」と「電話番号６１」の照合の結果，「電話番号６２」と「電話番号６１」が「対応している場合」であり，この場合には，「利用者２（一の顧客）に開催会場へのアクセスを許可し」ているから，引用発明の「一致すればゲートが開くようにゲート４４に指示する」と本願発明の「読み込まれた認証データがデータベースに格納されたチケット所有者情報に対応している場合は，一の顧客に開催会場へのアクセスを許可し」とは，「取得された認証データが格納手段に格納されたチケット所有者情報に対応している場合は，一の顧客に開催会場へのアクセスを許可し」の点で共通している。
（ｅ−６）引用発明において，「照合」や，ゲート４４への「指示」は，チェックイン制御端末４において行われており，これらの「照合」や「指示」の処理が，「チェックイン制御端末４（アクセス装置）のプロセッサ」によって行われていることは自明のことである。
（ｅ−７）してみれば，引用発明と本願発明とは，後記する点で相違するものの，「アクセス装置のプロセッサは，取得手段によって取得された認証データであって，携帯電話番号である一の顧客の認証データと，格納手段に格納された，前記携帯電話番号であるチケット所有者情報とを比較して，前記取得された認証データが前記格納手段に格納された前記チケット所有者情報に対応している場合は，前記一の顧客に開催会場へのアクセスを許可し」の点で共通している。
　
（ｆ）引用発明において，利用者２がサービスの予約申込みを行い，予約申込みが成立すると，チケット管理サーバ３１は，携帯電話機１の電話番号６１を即時または一定周期のタイミングでチェックイン制御サーバ４１へ転送し，チェックイン制御サーバ４１は，受信した電話番号６１を記憶しており，この記憶処理（格納する処理）が，「利用者２がチェックインするために，ゲート前でチェックイン制御端末４に対して携帯電話機１より発呼して回線接続を行うと，チェックイン制御端末４が，発呼者番号通知機能により利用者２の携帯電話機１の電話番号６２を受信装置４２で受信する処理」（以下，「処理１」という。）や，「電話番号６２と電話番号６１とを照合装置４３で照合し，一致すればゲートが開くようにゲート４４に指示する処理」（以下，「処理２」という。）「よりも前に」行われていること，すなわち，「電話番号６１（携帯電話番号）」が，「処理１」や「処理２」「よりも前に」，「格納手段に格納されている」ことは自明のことである。
　ここで，引用発明の上記「処理１」と本願発明の「一の顧客によって提示される認証データをアクセス装置の検出器が読み込む」とは，「一の顧客によって提供される認証データをアクセス装置の取得手段が取得する」の点で共通している。
　また，引用発明の上記「処理２」は，本願発明の「アクセス装置のプロセッサが開催会場へのアクセスを一の顧客に許可する」に相当する。
　また，上記（ｂ−１）によれば，引用発明の「電話番号６１」は，本願発明の「チケット所有者情報」に相当するから，引用発明と本願発明とは，「携帯電話番号は，格納手段におけるチケット所有者情報として格納され」る点で共通している。
　してみれば，引用発明と本願発明とは，後記する点で相違するものの，「一の顧客によって提供される認証データをアクセス装置の取得手段が取得するよりも前，かつ，前記アクセス装置のプロセッサが開催会場へのアクセスを前記一の顧客に許可するよりも前に，携帯電話番号は，格納手段におけるチケット所有者情報として格納されている」点で共通している。
　
　そうすると，本願発明と引用発明とは，
　
「開催会場へのアクセスを許可するアクセスシステムであって，
　チケット所有者情報を格納する格納手段であって，少なくとも一の顧客について，当該格納手段は，前記チケット所有者情報として，前記一の顧客の携帯電話番号を格納する，格納手段と，
　取得手段およびプロセッサを有するアクセス装置であって，前記取得手段は，前記一の顧客によって当該アクセス装置に提供される，前記開催会場へのアクセス権を有する前記一の顧客を特定する認証データを取得する，アクセス装置を備え，
　前記認証データは，少なくともペーパーレスデータを含み，前記一の顧客の前記携帯電話番号であり，
　前記アクセス装置の前記プロセッサは，前記取得手段によって取得された認証データであって，前記携帯電話番号である前記一の顧客の認証データと，前記格納手段に格納された，前記携帯電話番号である前記チケット所有者情報とを比較して，前記取得された認証データが前記格納手段に格納された前記チケット所有者情報に対応している場合は，前記一の顧客に前記開催会場へのアクセスを許可し，
　前記一の顧客によって提供される認証データを前記アクセス装置の前記取得手段が取得するよりも前，かつ，前記アクセス装置の前記プロセッサが前記開催会場へのアクセスを前記一の顧客に許可するよりも前に，前記携帯電話番号は，前記格納手段における前記チケット所有者情報として格納されている，アクセスシステム。」
　
　の点で一致し，次の点で相違する。
　
［相違点１］
　格納手段が，本願発明では「データベース」であり，当該「データベース」が「含む」「所有者記録」に携帯電話番号を格納しているのに対して，引用発明では，電話番号６１をどのように格納しているのかが明確ではない点。
　
［相違点２］
　顧客の認証データを取得する際に，本願発明では，顧客によって「提示される」認証データを「検出器」が「読み込む」のに対して，引用発明では，受信装置４２が利用者２の携帯電話機１から認証データを「受信」している点。
　
５．当審の判断
　上記相違点について検討する。
　
［相違点１］について
　引用発明では，利用者２による予約申込みが成立すると，チケット管理サーバ３１から，更新された予約情報及び携帯電話機１の電話番号６１がチェックイン制御サーバ４１へ転送されるものであるから，更新された予約情報と携帯電話機１の電話番号６１とが関連付けられていることは明らかであり，チェックイン制御サーバ４１が，予約情報と携帯電話機１の電話番号６１とを関連付けて「データベース」に記憶するように構成することには何ら困難性がない。
　ここで，予約情報と携帯電話機１の電話番号６１は，利用者２，すなわちチケット所有者の情報であるから，予約情報と携帯電話機１の電話番号６１の情報とを関連付けてデータベースに記憶する際に，データベースが「所有者記録」を「含む」ように構成し，当該「所有者記録」に，チケット所有者の情報を格納するように構成することは，当業者が適宜なし得る設計的事項である。
　してみれば，引用発明の格納手段を「所有者記録」を「含む」「データベース」で構成し，この「所有者記録」に携帯電話番号を格納するように構成することは，当業者が容易に想到し得たことである。
　
［相違点２］について
　顧客の認証データをどのような方法で取得するかは，当業者が適宜選択しうる設計的事項にすぎず，例えば特開２００２−２１６１８１号公報の【００４７】〜【００４８】段落に，「ゲート装置６に非接触ＩＣカードとの通信機能を設け，ゲート通行時に携帯電話ではなく非接触ＩＣカードを利用することが考えられる。例えば，自身の登録携帯電話番号情報を非接触ＩＣカードに記憶させておけば，ゲート通行の際は，非接触ＩＣカードをゲート装置６にかざすだけでゲート装置６の通行が可能になる。」と記載されているように，「ＩＣカードに携帯電話番号を記憶させておき，ＩＣカードから携帯電話番号を読み込むようにすること」は周知技術であるものと認められることから，引用発明における，認証データの「受信」による取得に代えて，例えば所定の媒体等に記録された認証データを顧客に「提示」させ，これを「検出器」で「読み込」んで取得するように構成することには何ら困難性がなく，当業者が適宜なし得たことである。
　
　そして，本願発明の作用効果も，引用発明及び周知技術から当業者が予測できる範囲のものである。
　
６．むすび 
　以上のとおり，本願発明は，引用発明及び周知技術に基づいて，当業者が容易に発明をすることができたものであるから，特許法第２９条第２項の規定により特許を受けることができない。
　したがって，本願は他の請求項について検討するまでもなく拒絶されるべきものである。
　
　よって，結論のとおり審決する。